(57)【特許請求の範囲】
【請求項１】
全体の設定情報あるいは資源をテーブルに登録して管理すると共に部分管理装置に設定情報あるいは資源の管理を送信して委任する全体管理装置と、全体管理装置から提供を受けた設定情報あるいは資源をテーブルに登録して管理すると共に設定情報あるいは資源を被管理装置に送信して使用させる部分管理装置とから構成される分散管理システムにおいて、
前記部分管理装置が、被管理装置から設定情報および資源の要求を受け付けると、該部分管理装置が管理するテーブルを参照して該被管理装置の情報が存在するか否かを確認して無いと判断すると、当該部分管理装置の識別情報を付加して全体管理装置に設定情報および資源の委任情報を要求し、
前記全体管理装置が、前記部分管理装置から設定情報あるいは資源の委任情報の要求を受け付けると、前記識別情報を基に前記部分管理装置に設定情報あるいは資源の管理の情報と委任を送信し、
前記部分管理装置が、前記全体管理装置から設定情報あるいは資源の管理の情報と委任を受けて、
前記部分管理装置が、全体管理装置から提供を受けた設定情報あるいは資源をテーブルに登録して管理すると共に設定情報あるいは資源を被管理装置に送信して使用させることを特徴とする分散管理システム。
【請求項２】
全体の設定情報あるいは資源をテーブルに登録して管理すると共に部分管理装置に設定情報あるいは資源の管理を送信して委任する全体管理装置と、全体管理装置から提供を受けた設定情報あるいは資源をテーブルに登録して管理すると共に設定情報あるいは資源を被管理装置に送信して使用させる部分管理装置とから構成される分散管理システムにおいて、
全体管理装置が、全体の設定情報あるいは資源をテーブルに登録して管理すると共に、自身のテーブルに登録されている設定情報あるいは資源のうち部分管理装置に委任していないものについて、前記被管理装置に送信して使用させることを特徴とする分散管理システム。
【請求項３】
前記部分管理装置が自身のテーブルに登録されいてる設定情報あるいは資源について、被管理装置が使用していないときに未使用状態のまま一時的に保留し、使用要求があったときに保留中の設定情報あるいは資源を送信して使用させることを特徴とする請求項１あるいは請求項２記載の分散管理システム。
【請求項４】
前記部分管理装置が自身のテーブルに登録して管理する設定情報あるいは資源について、部分的に追加あるいは変更して被管理装置に送信して使用させることを特徴とする請求項１から請求項３記載のいずれかの分散管理システム。
【請求項５】
全体の設定情報あるいは資源をテーブルに登録して管理すると共に部分管理装置に設定情報あるいは資源の管理を送信して委任する全体管理装置と、全体管理装置から提供を受けた設定情報あるいは資源をテーブルに登録して管理すると共に設定情報あるいは資源を被管理装置に送信して使用させる部分管理装置とから構成される分散管理システムにおいて実行されるプログラムを記録したコンピュータ読取可能な記録媒体であって、
前記部分管理装置に、被管理装置から設定情報および資源の要求を受け付けると、該部分管理装置が管理するテーブルを参照して該被管理装置の情報が存在するか否かを確認して無いと判断すると、当該部分管理装置の識別情報を付加して全体管理装置に設定情報および資源の委任情報を要求させ、
前記全体管理装置に、前記部分管理装置から設定情報あるいは資源の委任情報の要求を受け付けると、前記識別情報を基に前記部分管理装置に設定情報あるいは資源の管理の情報と委任を送信させ、
前記部分管理装置に、前記全体管理装置から設定情報あるいは資源の管理の情報と委任を受けさせ、
前記部分管理装置に、全体管理装置から提供を受けた設定情報あるいは資源をテーブルに登録して管理すると共に設定情報あるいは資源を被管理装置に送信して使用させる
プログラムを記録したコンピュータ読取可能な記録媒体。
【発明の詳細な説明】
【０００１】
【発明の属する技術分野】
本発明は、分散管理システムであって、設定情報あるいは資源の配布や管理を一元的に行いつつ処理の負荷分散および柔軟な管理を実現する分散管理システムに関するものである。
【０００２】
【従来の技術】
従来、設定情報あるいは資源の配布や管理を行なう管理システムは、１つの管理装置が全ての管理を行っていた。
【０００３】
また、管理システムが複数の管理装置から構成されている場合であっても、これらの管理装置が互いに連携していなかったり、逆に１つの管理装置が中心となって大部分の管理処理を行い、他の管理装置が被管理装置からの要求を単に管理装置に中継するなど、ただ１つの管理装置が全ての管理処理を行っているのと実質的に同様であった。
【０００４】
【発明が解決しようとする課題】
上述した従来の１つの管理装置が全ての設定情報や資源の管理を行なう場合、被管理装置の数が多くなると負荷が大きくなり、個々の設定情報や資源の配布あるいは管理に対する処理待ち時間が長くなるという問題があった。また、管理装置と被管理装置とがネットワークで接続されている場合、処理の応答時間が長くかかりネットワーク全体のトラフィックを増大させてしまうという問題もあった。
【０００５】
本発明は、これらの問題を解決するため、設定情報や資源の管理を一元的に行なうと共にその処理を複数の管理装置で効率良好に分散して管理処理能力を向上およびネットワークのトラフィックの増大を防ぐことを目的としている。
【０００６】
【課題を解決するための手段】
図１を参照して課題を解決するための手段を説明する。
図１において、管理装置群１４、２６は、設定情報および資源を管理するものであって、全体管理装置１１、２１および部分管理装置１２、１３、２２ないし２５から構成されるものである。
【０００７】
全体管理装置１１、２１は、設定情報および資源をテーブルに登録して管理すると共に被管理装置に使用させるものである。
部分管理装置１２、１３、２２ないし２５は、全体管理装置１１、２１あるいは上位の部分管理装置から委任を受けた設定情報および資源をテーブルに登録して管理および被管理装置に使用させるものである。
【０００８】
被管理装置１５ないし１８、２７ないし３０は、設定情報および資源を使用して処理を行なうものである。
次に、動作を説明する。
【０００９】
全体管理装置１１、２１が全体の設定情報あるいは資源をテーブルに登録して一元管理すると共に部分管理装置１２、１３、２２、２３などに設定情報あるいは資源の管理を送信して委任したり、設定情報あるいは資源を被管理装置に送信して使用させたりし、委任を受けた部分管理装置１２、１３、２２ないし２５が委任を受けた設定情報あるいは資源をテーブルに登録して管理すると共に設定情報あるいは資源の管理を他の部分管理装置に送信して委任させたり、設定情報あるいは資源を被管理装置に送信して使用させたりするようにしている。
【００１０】
この際、部分管理装置１２、１３、２２ないし２５、あるいは全体管理装置１１、２１が自身のテーブルに登録されている設定情報あるいは資源について、被管理装置が使用していないときに未使用状態のまま一時的に保留し、使用要求があったときに保留中の設定情報あるいは資源を送信して使用させるようにしている。
【００１１】
また、部分管理装置が全体管理装置１１、２１あるいは上位の部分管理装置から設定情報あるいは資源の委任を受けるときに、複数の設定情報あるいは資源をまとめて委任を受けてテーブルに登録して管理するようにしている。
【００１２】
また、部分管理装置がテーブルに登録して管理する設定情報あるいは資源について、部分的に追加あるいは変更して被管理装置に送信して使用させるようにしている。
【００１３】
従って、全体管理装置が設定情報や資源の管理を一元的に行なうと共にその処理を複数の部分管理装置が効率良好に分散して管理することにより、設定情報や資源を一元管理のもとで分散して処理を行い、管理処理能力を向上およびネットワークのトラフィックの増大を防ぐことが可能となる。
【００１４】
【発明の実施の形態】
次に、図１から図９を用いて本発明の実施の形態および動作を順次詳細に説明する。
【００１５】
図１は、本発明の１実施例構成図を示す。ここで、図示外の記憶媒体からプログラムを読み出し主記憶にローディングして起動し、以下に説明する各種処理を実行する。
図１の（ａ）は、全体管理装置が部分管理装置を管理する場合の構成図を示す。
【００１６】
図１の（ａ）において、管理装置群１４は、全体の設定情報および資源を一元管理する全体管理装置１１、および当該全体管理装置１１から委任を受けた設定情報および資源について管理する部分管理装置１２、１３からここでは構成されるものである。全体管理装置１１が直接に被管理装置１５ないし１８の一部に設定情報および資源の使用を管理するようにしてもよい。
【００１７】
被管理装置１５ないし１８は、部分管理装置１２あるいは部分管理装置１３から設定情報および資源の使用の許可を受けて使用するものである。
図１の（ｂ）は、全体管理装置が部分管理装置を管理し、更に部分管理装置が他の部分管理装置を管理する階層構造で管理する場合の構成図を示す。
【００１８】
図１の（ｂ）において、管理装置群２６は、全体の設定情報および資源を一元管理する全体管理装置２１、および当該全体管理装置２１から委任を受けた設定情報および資源について管理する部分管理装置２２、２３、更にこれら部分管理装置２２、２３から委任を受けた設定情報および資源を管理する部分管理装置２４、２５からここでは階層構造で構成されるものである。全体管理装置１１が直接に被管理装置１５ないし１８の一部の設定情報および資源の使用を管理したり、部分管理装置２２、２３が直接に被管理装置１５ないし１８の一部の設定情報および資源の使用を管理するようにしてもよい。
【００１９】
被管理装置２７ないし３０は、部分管理装置２４あるいは部分管理装置２５から設定情報および資源の使用の許可を受けて使用するものである。
次に、図２のフローチャートに示す順序に従い、図１の（ａ）および（ｂ）の構成の権限委任の手順を詳細に説明する。
【００２０】
図２は、本発明の権限委任フローチャートを示す。
図２において、Ｓ１は、被管理装置が構成情報の要求を部分管理装置に送信する。
【００２１】
Ｓ２は、部分管理装置が要求の受信待ちをし、Ｓ１で送信されてきた構成情報の要求を受信する。
Ｓ３は、対象被管理装置の情報が自分の管理テーブルに存在するか判別する。これは、後述する管理テーブル例えば図７の（ｂ）の部分管理装置の管理テーブルに、要求のあった情報が存在するか判別する。ＹＥＳの場合には、部分管理装置は管理テーブルに設定されて委任されていた構成情報（設定情報あるいは資源）を被管理装置に向けて返答し、Ｓ４で被管理装置が構成情報を獲得し、Ｓ５で構成情報に基づく、システムの構成・起動を行なう。一方、Ｓ３のＮＯの場合には、部分管理装置の管理テーブルに要求のあった構成情報が登録されていなく委任を受けていないと判明したので、Ｓ６に進む。
【００２２】
Ｓ６は、部分管理装置の識別情報（ネットワーク情報）を付加して、要求を全体管理装置に送信する。
Ｓ７は、全体管理装置が要求の受信待ちをし、Ｓ６で送信されてきた構成情報の要求を受信する。
【００２３】
Ｓ８は、部分管理装置で付加された識別情報を基に、被管理装置の所属するネットワークを特定し、未使用のアドレスを選択する。
Ｓ９は、部分管理装置への委任情報を設定・送信する。
【００２４】
Ｓ１０は、部分管理装置が送信要求に対する応答待ちをし、Ｓ９で送信されてきた構成情報を受信する。
Ｓ１１は、全体管理装置からの委任情報を基に、管理テーブルを更新し、部分管理装置の管理下に入れる。
【００２５】
Ｓ１２は、被管理装置に対する構成情報を送信する。そして、Ｓ４で被管理装置が構成情報を取得し、Ｓ５で取得した構成情報に基づく、システムの構成・起動を行なう。
【００２６】
以上によって、被管理装置から部分管理装置に構成情報の要求があったときに部分管理装置の管理テーブルにその構成情報が委任されて登録されていた場合には当該管理テーブルから読み出した構成情報を被管理装置に送信し、被管理装置はこの受信した構成情報を基にシステムの構成を設定して起動し、処理を開始する。一方、部分管理装置の管理テーブルにその構成情報が委任されて登録されていなかった場合には、全体管理装置（あるいは上位に部分管理装置）に要求を行い、構成情報の送信を受けて管理テーブルに登録し、被管理装置に送信して当該被管理装置がこの構成情報を基にシステム構成を設定して起動し、処理を開始する。これらにより、全体管理装置が構成情報（設定情報および資源）を部分管理装置に委任して管理テーブルに設定しておくことにより、被管理装置からの情報の要求に対応して管理テーブルを参照して送信し、被管理装置がこの構成情報を設定して運用を開始でき、構成情報を一元管理できると共に、各部分管理装置が委任を受けた構成情報について分散して被管理装置に通知でき、構成情報（設定情報および資源）の一元管理と分散処理を効率的に行うことが可能となる。
【００２７】
図３は、本発明の全体管理装置のテーブルの更新フローチャートを示す。
図３において、Ｓ２１は、管理テーブルの変更が発生する。
Ｓ２２は、被管理装置が自分の管理テーブル上か判別する。ＹＥＳの場合には、Ｓ２１で変更しようとする情報を使う被管理装置が自分の管理テーブル上に登録して管理していると判明したので、Ｓ２３で自分（全体管理装置）の管理テーブルを更新する。一方、Ｓ２２のＮＯの場合には、自分（全体管理装置）の管理テーブルに登録されているが管理を配下の部分管理装置に委任していると判明したので、その委任している部分管理装置に更新要求（変更要求）を送信する。
【００２８】
Ｓ２４は、Ｓ２２のＮＯで送信された更新要求を受け取った部分管理装置が部分管理装置の管理テーブルを更新する。これは、全体管理装置から委任を受けて管理テーブルに登録して管理している部分管理装置が、受信した更新要求に従い、管理テーブルを更新する。尚、全体管理装置は、Ｓ２２のＮＯで更新要求を委任している部分管理装置に更新要求を送信すると共に、更新要求した更新内容（変更内容）を自分の管理テーブルに合わせて更新しておく。
【００２９】
以上によって、全体管理装置の管理テーブルを管理者などが何らかの原因によって変更すると、全体管理装置の管理テーブルで直接に変更しようとする対象の被管理装置の情報が登録されて管理している場合には当該管理テーブルを更新し、一方、配下の部分管理装置に委任して管理している場合には、その部分管理装置に送信してその管理テーブルを更新およびこれに合わせて全体管理装置の管理テーブルも更新することにより、情報（設定情報および資源）の一元管理を行なうことが可能となる。
【００３０】
図４は、本発明の部分管理装置のテーブルの更新フローチャートを示す。
図４において、Ｓ３１は、部分管理装置の管理テーブルの変更が発生する。
Ｓ３２は、被管理装置が自分の管理テーブル上か判別する。ＹＥＳの場合には、Ｓ３１で変更しようとする情報を使う被管理装置が自分の管理テーブル上に登録して管理していると判明したので、Ｓ３３で自分（部分管理装置）の管理テーブルを更新する。一方、Ｓ３２のＮＯの場合には、自分（部分管理装置）の管理テーブルに登録されていなく、上位の管理装置（全体管理装置あるいは上位の部分管理装置）が管理していると判明したので、その管理装置（全体管理装置あるいは上位の部分管理装置）に更新依頼（変更依頼）を送信する。
【００３１】
Ｓ３４は、Ｓ３２のＮＯで送信された更新依頼を受け取った上位の管理装置（全体管理装置あるいは上位に部分管理装置）が管理テーブルを更新する。
以上によって、部分管理装置の管理テーブルを管理者などが何らかの原因によって変更すると、直接に変更しようとする対象の被管理装置の情報が登録して管理している場合には当該管理テーブルを更新し、一方、管理されていなかった場合には上位の管理装置（全体管理装置あるいは上位の部分管理装置）に更新依頼して管理テーブルを更新することにより、情報（設定情報および資源）の一元管理を行なうことが可能となる。
【００３２】
図５は、本発明の被管理装置の更新要求を行った場合のフローチャートを示す。
図５において、Ｓ４１は、被管理装置が取得パラメタの更新要求を行なう。
【００３３】
Ｓ４２は、Ｓ４１の更新要求を部分管理装置が受信する。
Ｓ４３は、被管理装置が自分の管理テーブル上か判別する。ＹＥＳの場合には、Ｓ４１で変更しようとする情報を使う被管理装置が自分の管理テーブル上に登録して管理していると判明したので、Ｓ４４で自分（部分管理装置）の管理テーブルを更新し、Ｓ４５で更新情報を被管理装置に送信する。一方、Ｓ４３のＮＯの場合には、自分（部分管理装置）の管理テーブルに登録されていなく、上位の管理装置（全体管理装置あるいは上位の部分管理装置）が管理していると判明したので、その管理装置（全体管理装置あるいは上位の部分管理装置）に更新依頼（変更依頼）を送信する。
【００３４】
Ｓ４７は、Ｓ４３のＮＯで送信された更新依頼を受け取った上位の管理装置（全体管理装置あるいは上位に部分管理装置）が管理テーブルを更新する。
Ｓ４８は、更新情報の送信を行ない、被管理装置に送信する。
【００３５】
以上によって、被管理装置が取得パラメタを何らかの原因によって更新したい場合に更新要求を部分管理装置に送信し、部分管理装置が自分の管理テーブルで管理しているときは当該管理テーブルを更新して更新情報を被管理装置に送信し、一方、部分管理装置が自分の管理テーブルで管理していないときは上位の管理装置（全体管理装置あるいは上位に部分管理装置）に更新要求を送信してその管理装置の管理テーブルを更新してその更新情報の送信を受けて被管理装置に送信することにより、情報（設定情報および資源）の一元管理を行なうことが可能となる。
【００３６】
図６は、本発明の情報の一貫性保持フローチャートを示す。
図６において、Ｓ５１は、全体管理装置が被管理装置の状態の問い合わせを行なう。
【００３７】
Ｓ５２は、被管理装置が自分の管理テーブル上か判別する。ＹＥＳの場合には、Ｓ５１で状態を問い合わせようとする被管理装置がが自分の管理テーブル上に登録して管理していると判明したので、Ｓ５３で問い合わせ情報を管理テーブルより取得し、Ｓ５４で問い合わせに対する応答を行なう。一方、Ｓ５２のＮＯの場合には、自分（全体管理装置）の管理テーブルに登録されていなく、配下の部分管理装置に委任して管理していると判明したので、その部分管理装置に被管理装置情報の問い合わせを送信する。
【００３８】
Ｓ５５は、Ｓ５２のＮＯで送信されてきた被管理装置状態の問い合わせを受信した部分管理装置が、問い合わせ情報を管理テーブルより取得する。
Ｓ５６はＳ５４で取得した情報を全体管理装置に送信する。
【００３９】
Ｓ５７は、Ｓ５６で送信された情報を受信した全体管理装置が、自分の管理テーブルのその被管理装置の状態の更新を行なった後、Ｓ５４で問い合わせに対する回答を行なう。
【００４０】
以上によって、被管理装置状態の問い合わせに対応して、全体管理装置が自分の管理テーブルで管理している場合は管理テーブルから情報を取得して応答し、一方、自分の管理テーブルで管理していない場合には部分管理装置に依頼して被管理装置状態の情報を取得して応答することにより、全体管理装置が被管理装置の状態の問い合わせについてその情報（設定情報および資源）を自分の管理テーブルあるいは委任した部分管理装置の管理テーブルから取得して一元管理した被管理装置の状態の情報（設定情報および資源の情報）を応答することが可能となる。
【００４１】
図７および図８は、本発明の情報管理の委任方法説明図を示す。
図７に（ａ）は、初期状態を示す。これは、全体管理装置が全ての被管理装置の情報を持つ初期状態である。ここで、管理番号Ｎｏに対応づけてアドレス（資源名）、値、および委任状態をそれぞれ図示の下記のように登録して管理する。
【００４２】
管理Ｎｏ    アドレス（資源名）    値    委任状態
１          ＩＰ                  Ａ
２          ＩＰ                  Ｂ
３          ＯＳＩ                ＡＡ
４          ＯＳＩ                ＡＢ
また、管理テーブルの各エントリに付随する情報を右側のサブ管理テーブルに示す下記のように登録して管理する。
【００４３】
設定名            アドレス（値）
プリントサーバ    Ｃ
メールサーバ      Ｄ
このサブ管理テーブルを設けて、管理テーブルの複数のエントリからポイントさせ、同一の内容を登録することを可能にしている。
【００４４】
図７の（ｂ）は、被管理装置からの要求のあった状態を示す。この被管理装置から左側のテーブルに示すように
0003953579.tif 000002
の要求が部分管理装置にあった場合、この要求を受信した部分管理装置は、右側のテーブルに示すように、識別情報を付加し全体管理装置へ送信する。
【００４５】
図８の（ｃ）は、全体管理装置からの応答の状態を示す。これは、図７の（ｂ）で部分管理装置から識別情報を付加した情報要求に対応して、当該情報要求中に付加されている部分管理装置の識別情報より、被管理装置の所属するネットワークを特定し、要求のあったプ資源名“ＩＰ”および設定名“プリントサーバ”と“メールサーバ”の情報について、既述した図７の（ａ）の管理テーブルおよびサブ管理テーブルを参照して図示の下記の情報を取り出し、部分管理装置に送信し、部分管理装置は自分の管理テーブルおよびサブ管理テーブルに追加する。
【００４６】
種類              値
ＩＰ              Ａ
プリントサーバ    Ｃ
メールサーバ      Ｄ
委任情報          部分管理装置Ａ
また、図８の（ｄ）は、全体管理装置から複数の情報を一括して応答（委任）する状態を示す。これは、図７の（ｂ）で部分管理装置から識別情報を付加した情報要求に対応して、当該情報要求中に付加されている部分管理装置の識別情報より、被管理装置の所属するネットワークを特定し、要求のあった資源名“ＩＰ”および設定名“プリントサーバ”と“メールサーバ”の情報について、既述した図７の（ａ）の管理テーブルおよびサブ管理テーブルを参照して図示の下記の情報を取り出すと共に、更に関連する情報である
種類              値
ＩＰ              Ｂ
を付加して一括送信して委任する状態を示す。
【００４７】
図８の（ｅ）は、委任後の全体管理装置の情報の状態を示す。これは、図８の（ｄ）の一括委任を行った後の全体管理装置の管理テーブルの図示の下記の状態である。委任したエントリには委任先の部分管理装置、ここでは、“部分管理装置Ａ”が登録されている。以降はこの部分管理装置Ａのみが管理テーブルの情報を更新できる（この際、全体管理装置にも更新したときは通知してその内容を同一にしておく）。
【００４８】
管理Ｎｏ    アドレス（資源名）    値    委任状態
１          ＩＰ                  Ａ    部分管理装置Ａ
２          ＩＰ                  Ｂ    部分管理装置Ａ
３          ＯＳＩ                ＡＡ
４          ＯＳＩ                ＡＢ
以上のように、図７の（ａ）の全体管理装置の管理テーブルで被管理装置が使用する情報（設定情報および資源）を一元管理し、被管理装置が要求のあった情報を当該被管理装置を管理する部分管理装置に送信して委任および関連する情報を一括委任して分散管理することにより、多数の被管理装置からの情報の要求時や更新時に、管理する各部分管理装置が応答して分散管理することが可能となると共に、各管理テーブルを一元管理することが可能となる。
【００４９】
図９は、本発明の具体例構成図を示す。これは、図１の（ａ）のシステム構成の具体例構成図であって、動的ホスト構成(Dynamic Host Configuration)に適用した構成である。ＤＨＣサーバグループ３４が管理装置群に対応し、ＤＨＣメインサーバ３１は全体管理装置に対応し、ＤＨＣサブサーバ３２、３３が部分管理装置に対応し、ＤＨＣクライアント３５ないし３８が被管理装置に対応している。このシステムは、ＤＨＣクライアント３５ないし３８が要求を送信して、設定情報および資源を管理しているＤＨＣサブサーバ３２、３３（ＤＨＣメインサーバ３１）から取得し、それをもとにＤＨＣクライアント３５ないし３８の構成設定を動的に行なうものである。このシステムにおける資源の具体例としては、通信における宛先を指定するアドレスである。アドレスは、各ＤＨＣクライアント３５ないし３８に対して一意になるように管理する必要がある。また、設定情報の具体例としては、印刷サーバの指定などである。このシステムには、設定情報および資源には、有効期限があり、ＤＨＣクライアント３５ないし３８は、ＤＨＣサブサーバ３２、３３（ＤＨＣメインサーバ３１）に対して定期的に要求を行って更新処理を行なう。更新処理には、新規に登録、変更、追加、削除などがある。また、設定情報および資源を一旦はＤＨＣクライアント３５ないし３８がＤＨＣサブサーバ３２、３３に要求して使用したが、一時的に使用しないときに開放を通知し、管理テーブルに未使用状態にしておくこともある。特に、ＤＨＣサブサーバ３２、３３で未使用状態にしておけば、次に必要となったときくＤＨＣクラアイント３５ないし３８がＤＨＣサブサーバ３２、３３に要求して即座に使用することが可能となり、ネットワークのトラフィックを軽減できる。
【００５０】
【発明の効果】
以上説明したように、本発明によれば、全体管理装置が設定情報や資源の管理を一元的に行なうと共にその処理を複数の部分管理装置が効率良好に分散して管理する構成を採用しているため、設定情報や資源を一元管理のもとで分散して処理を行い、管理処理能力を向上することができると共にネットワークのトラフィックの増大を防ぐことができる。
【図面の簡単な説明】
【図１】本発明のシステム構成図である。
【図２】本発明の権限委任フローチャートである。
【図３】本発明の全体管理装置のテーブルの更新フローチャートである。
【図４】本発明の部分管理装置のテーブルの更新フローチャートである。
【図５】本発明の被管理装置が情報の更新要求を行った場合のフローチャートである。
【図６】本発明の情報の一貫性保持フローチャートである。
【図７】本発明の管理情報の委任方法説明図（その１）である。
【図８】本発明の管理情報の委任方法説明図（その２）である。
【図９】本発明の本発明の具体例構成図である。
【符号の説明】
１１、２１：全体管理装置
１２、１３、２２ないし２５：部分管理装置
１４、２６：管理装置群
１５ないし２８、２７ないし３０：被管理装置
【図１】
0003953579.tif 000003
【図２】
0003953579.tif 000004
【図３】
0003953579.tif 000005
【図４】
0003953579.tif 000006
【図５】
0003953579.tif 000007
【図６】
0003953579.tif 000008
【図７】
0003953579.tif 000009
【図８】
0003953579.tif 000010
【図９】
0003953579.tif 000011